(57)【要約】【課題】本発明は、車両に取り付けられた各部品についての部品情報をより好適に取得し管理することが可能な技術を提供する。【解決手段】部品情報管理システム１が、車両１００に設置される車載装置１０と、管理装置２０と、を備えている。車載装置１０は、車両に組み付けられている各部品４０に取り付けられた無線タグ３０から、各部品４０の識別情報を含んだ部品情報を受信する受信部を有している。そして、管理装置２０が、車載装置１０から部品情報を取得し、取得した部品情報を車両１０と紐づけた状態で記憶する。【選択図】図１
2020101855.tif 000002
【特許請求の範囲】
【請求項１】
車両に組み付けられている各部品に取り付けられた無線タグであって、各部品の識別情報を含んだ部品情報を発信する無線タグから、前記部品情報を受信する受信部を有し、前記車両に設置される車載装置と、
前記受信部によって受信された各部品についての前記部品情報を前記車載装置から取得し、取得した前記部品情報を前記車両と紐づけた状態で記憶する管理装置と、を備える部品情報管理システム。
【請求項２】
前記部品情報に、各部品の種類を示す種類情報が含まれており、
前記車載装置から取得した前記部品情報に含まれる前記種類情報が、前記車両に組み付けられるべき部品の種類を示す種類情報と異なる場合、前記管理装置が警告情報を発信する、
請求項１に記載の部品情報管理システム。
【請求項３】
車両の生産ラインにおいて前記車両に設置される車載装置であって、
前記車両に組み付けられている各部品に取り付けられた無線タグであって、各部品の識別情報を含んだ部品情報を発信する無線タグから、前記部品情報を受信する受信部をする車載装置。
【請求項４】
車両に組み付けられている各部品に取り付けられた無線タグであって、各部品の識別情報を含んだ部品情報を発信する無線タグから、前記部品情報を、前記車両に設置された車載装置によって受信するステップと、
前記載装置によって受信された各部品についての前記部品情報を取得し、取得した前記部品情報を前記車両と紐づけた状態で管理装置に記憶するステップと、
を有する部品情報管理方法。
【発明の詳細な説明】
【技術分野】
【０００１】
本発明は、車両に組み付けられている各部品の識別情報を管理する部品情報管理システムおよび部品情報管理方法に関する。
【背景技術】
【０００２】
従来、車両に組み付けられている各部品の識別情報を管理するための管理システムが開発されている。特許文献１においては、自動車生産ライン管理システムに関する技術が開示されている。この特許文献１に記載の技術では、車両の組み立て工程において、車両へ部品を組み付ける前に、部品の第１の識別情報が第１の読取装置によって読み取られる。また、車両の検査工程において、車両に取り付けられた部品の第２の識別情報が第２の読取装置によって読み取られる。そして、サーバにおける照合部によって、第１の識別情報と第２の識別情報との照合が行われる。
【０００３】
また、特許文献１に記載の技術では、車両のエンジンに対して、エンジン情報（部品としての識別情報）が書き込まれたＩＣタグが取り付けられる。そして、検査工程におけるエンジン検査工程において、エンジンが車両に取り付けられた状態のまま、実績照合デバイスに接続されたＩＣタグリーダによって、該エンジンに取り付けられたＩＣタグが読み込まれる。
【先行技術文献】
【特許文献】
【０００４】
【特許文献１】特開２０１４−０８１８８５号公報
【発明の概要】
【発明が解決しようとする課題】
【０００５】
近年では、車両に取り付けられた多数の部品それぞれについてのトレーサビリティを確保することが強く望まれている。このようなトレーサビリティの確保ためには、車両に取り付けられた各部品について、その識別情報を含む部品情報を適切に取得し管理する必要がある。ここで、車両に取り付けられた各部品の部品情報を取得するためのシステムとしては、部品組み付け工程や車両検査工程において、車両に組み付けられた各部品の部品情報を、各部品に取り付けられた無線タグから無線通信を利用して受信装置によって受信するシステムが考えられる。
【０００６】
ただし、このようなシステムにおいては、部品組み付け工程や車両検査工程が行われる施設（工場等）に設けられた受信装置と、車両に組み付けられた状態の各部品の無線タグとの間の電波の受信環境の影響によって、各部品の部品情報を該受信装置によって正確に受信することが困難となる場合がある。また、車両に取り付けられた膨大な数の部品それぞれの部品情報を受信装置によって受信するために多くの時間が必要となることで、部品組み付け工程や車両検査工程の効率の低下を招く虞もある。
【０００７】
本発明は、上記のような問題に鑑みてなされたものであって、車両に取り付けられた各部品についての部品情報をより好適に取得し管理することが可能な技術を提供することを目的とする。
【課題を解決するための手段】
【０００８】
本発明の第１の態様に係る部品情報管理システムは、車両に組み付けられている各部品に取り付けられた無線タグであって、各部品の識別情報を含んだ部品情報を発信する無線
タグから、前記部品情報を受信する受信部を有し、前記車両に設置される車載装置と、前記受信部によって受信された各部品についての前記部品情報を前記車載装置から取得し、取得した前記部品情報を前記車両と紐づけた状態で記憶する管理装置と、を備える。
【０００９】
本発明では、車両に組み付けられている各部品に無線タグが取り付けられている。この無線タグは、各部品の識別情報を含んだ部品情報を発信する機能を有する。そして、本発明では、車両に設置される車載装置が、各部品の無線タグから発信される部品情報を受信する受信部を有している。この場合、車両の生産ラインにおいて該車両に車載装置が設置されると、該車両に組み付けられた各部品の無線タグから、該車載装置が受信部によって部品情報を受信する。なお、この場合、車両に対して車載装置が設置される前に該車両に組み付けられた部品、および、車両に対して車載装置が設置された後に該車両に組み付けられた部品、のいずれでも、各部品の無線タグから発信される部品情報を、車載装置によって受信することができる。また、完成後の車両においては、該車両に組み付けられた部品の交換または部品の追加が行われると、交換または追加された部品の無線タグから、車載装置が受信部によって部品情報を受信する。
【００１０】
そして、受信部によって受信された各部品についての部品情報を車載装置から管理装置が取得する。さらに、管理装置が、取得した各部品についての部品情報を、該部品が取り付けられている車両と紐づけた状態で記憶する。これにより、車両に組み付けられている各部品についての部品情報を該車両と対応させた状態で管理することができる。
【００１１】
上記のように、本発明では、各部品の無線タグから発信される部品情報を受信する受信部が、車両に設置される車載装置に設けられている。そのため、車両の生産ラインを有する施設に、各車両に組み付けられた各部品の無線タグから発信される部品情報を受信するための受信装置を別途設けることが不要となる。また、車両においては、車載装置と各部品との距離が一定の範囲内に維持されるとともに、それらの間の電波の受信環境が変化し難い。したがって、各部品の無線タグから発信される部品情報を車外に設けられた受信装置によって受信する場合に比べて、該部品情報を車載装置によって安定的に受信することができる。さらに、部品組み付け工程や車両検査工程において、各部品の無線タグから発信される部品情報を受信する場合でも、部品の組み付け作業や車両検査の作業を進行させながら、車載装置の受信部によって部品情報を受信することが可能となる。また、完成後の車両において部品の交換または部品の追加が行われた場合、交換または追加された部品の部品情報を取得することが可能となる。したがって、本発明によれば、車両に取り付けられた各部品の識別情報をより好適に取得し管理することができる。
【００１２】
また、本発明においては、部品情報に、各部品の種類を示す種類情報が含まれていてもよい。そして、車載装置から取得した部品情報に含まれる種類情報が、車両に組み付けられるべき部品の種類を示す種類情報と異なる場合、管理装置が警告情報を発信してもよい。これによれば、車両に対して、該車両に組み付けるべき部品以外の部品が組み付けられた場合、管理装置から警告情報が発信されることになる。そのため、車両に対する部品の誤組み付けが発生した場合、その旨を警告することができる。
【００１３】
また、本発明の第２の態様に係る車載装置は、車両の生産ラインにおいて前記車両に設置される車載装置であって、前記車両に組み付けられている各部品に取り付けられた無線タグであって、各部品の識別情報を含んだ部品情報を発信する無線タグから、前記部品情報を受信する受信部をする。
【００１４】
また、本発明の第３の態様に係る部品情報管理方法は、車両に組み付けられている各部品に取り付けられた無線タグであって、各部品の識別情報を含んだ部品情報を発信する無線タグから、前記部品情報を、前記車両に設置された車載装置によって受信するステップ
と、前記載装置によって受信された各部品についての前記部品情報を取得し、取得した前記部品情報を前記車両と紐づけた状態で管理装置に記憶するステップと、を有する。
【発明の効果】
【００１５】
本発明によれば、車両に取り付けられた各部品の部品情報をより好適に取得し管理することができる。
【図面の簡単な説明】
【００１６】
【図１】実施形態に係る部品情報管理システムの概略構成を示す図である。
【図２】部品情報管理システムを構成する車載装置および管理サーバそれぞれの機能構成を概略的に示す図である。
【図３】無線タグから発信される部品情報のテーブル構成の一例を示す図である。
【図４】車両部品情報データベースに格納されている車両部品情報のテーブル構成を示す図である。
【図５】部品情報管理システムにおけるデータおよび処理の流れを示すシーケンス図である。
【図６】実施形態に係る誤組み付け警告処理のフローを示すフローチャートである。
【発明を実施するための形態】
【００１７】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【００１８】
＜第１実施形態＞
（システムの概略）
図１は、本実施形態に係る部品情報管理システムの概略構成を示す図である。ここでは、車両に対して様々な部品を組み付ける部品組み付け工程を含む該車両の生産ラインに部品情報管理システムを適用した実施形態について説明する。
【００１９】
部品情報管理システム１は、工場２００内の生産ラインにおいて生産されている各車両１００（生産途中の車両）に設置された車載装置１０と、管理サーバ２０と、を含んで構成される。ここで、工場２００は、車両１００の生産ラインを有する工場である。工場２００内の生産ラインにおいては、各車両１００に対して、車載装置１０および予め定められた複数種類の部品４０が組み付けられる。なお、図１における４０ａ、４０ｂ、４０ｃは、それぞれ、工場２００内の生産ラインにおいて車両１００に対して組み付けられる車載装置１０以外の部品であって、互いに種類の異なる部品を示している。ただし、以下においては、車両１００に対して組み付けられる車載装置１０以外の各部品を総じて「部品４０」と称する。
【００２０】
また、車載装置１０は、工場２００内の生産ラインにおいて車両１００に組み付けられた段階でネットワークＮ１との接続が可能となる。このネットワークＮ１には管理サーバ２０が接続されている。そのため、部品情報管理システム１においては、各車両１００に設置された車載装置１０と管理サーバ２０とが、ネットワークＮ１によって相互に接続される。ここで、ネットワークＮ１には、例えば、インターネット等の世界規模の公衆通信網であるＷＡＮ（Ｗｉｄｅ  Ａｒｅａ  Ｎｅｔｗｏｒｋ）や、携帯電話等の電話通信網が採用されてもよい。また、管理サーバ２０が工場２００内に設置されている場合は、ＷｉＦｉ（登録商標）等の通信規格を利用してネットワークＮ１を構築してもよい。
【００２１】
車載装置１０および管理サーバ２０は、プロセッサ、主記憶部、補助記憶部と、を有するコンピュータを含んで構成される。また、車載装置１０および管理サーバ２０において
は、プロセッサが、補助記憶部に記憶されたプログラムを主記憶部にロードして実行することによって、後述するような各種の機能を実現することができる。ただし、車載装置１０および管理サーバ２０における一部または全部の機能はＡＳＩＣやＦＰＧＡのようなハードウェア回路によって実現されてもよい。
【００２２】
また、工場２００内の生産ラインにおいて車両１００に組み付けられる各部品４０には無線タグ３０が予め取り付けられている。なお、図１における３０ａ、３０ｂ、３０ｃは、それぞれ、工場２００内の生産ラインにおいて車両１００に対して組み付けられる部品４０ａ、４０ｂ、４０ｃそれぞれに取り付けた無線タグを示している。ただし、以下においては、各部品４０に取り付けられた無線タグを総じて「無線タグ３０」と称する。
【００２３】
各無線タグ３０には、自身が取り付けられている部品４０についての部品情報が登録されている。また、各無線タグ３０は、自身に登録されている部品情報を発信する。そして、車両１００に組み付けられた各部品４０に取り付けられた無線タグ３０から発信された部品情報が、該車両１００に設置された車載装置１０によって受信される。なお、無線タグ３０としては、ＲＦ（Ｒａｄｉｏ  Ｆｒｅｑｕｅｎｃｙ）タグを採用してもよい。
【００２４】
さらに、車載装置１０は、各部品４０に取り付けられた無線タグ３０から受信した部品情報を、ネットワークＮ１を介して管理サーバ２０に送信する。管理サーバ２０は、各車両１００に組み付けられた各部品についての部品情報を管理するサーバである。管理サーバ２０は、各車載装置１０から受信した部品情報を、発信元の車載装置１０が設置されている車両１００と紐付けた状態で記憶し管理する。なお、本実施形態においては、車載装置１０が、本発明に係る「車載装置」に相当する。また、管理サーバ２０が、本発明に係る「管理装置」に相当する。
【００２５】
（システム構成）
次に、本実施形態に係る部品情報管理システム１を構成する車載装置１０および管理サーバ２０の機能構成について図２に基づいて説明する。図２は、本実施形態に係る部品情報管理システム１を構成する車載装置１０および管理サーバ２０それぞれの機能構成の一例を概略的に示すブロック図である。
【００２６】
（車載装置）
車載装置１０は、制御部１２、通信部１１、および受信部１３を有している。制御部１２は、車載装置１０を制御するための演算処理を行う機能を有する。制御部１２は、プロセッサによって実現することができる。そして、車載装置１０においては、プロセッサが、補助記憶部に記憶されたプログラムを主記憶部にロードして実行することによって、制御部１２による各種の処理を実現することができる。
【００２７】
また、通信部１１は、車載装置１０をネットワークＮ１に接続するための通信手段である。通信部１１は、例えば３Ｇ（３ｒｄ  Ｇｅｎｅｒａｔｉｏｎ）やＬＴＥ（Ｌｏｎｇ  Ｔｅｒｍ  Ｅｖｏｌｕｔｉｏｎ）等の移動体通信サービスを利用して、ネットワークＮ１経由で、管理サーバ２０を含む他の装置と通信を行うことができる。制御部１２は、無線タグ３０から受信した部品情報を、通信部１１を介して管理サーバ２０に送信する処理を行う。
【００２８】
また、受信部１３は、車両１００に組み付けられた各部品４０に取り付けられた無線タグ３０から発信された部品情報を受信するための手段である。例えば、無線タグ３０がＲＦタグである場合、受信部１３は、ＲＦタグから発信される部品情報を読み込むリーダとしての機能を有する。
【００２９】
ここで、無線タグ３０から発信される部品情報のテーブル構成について図３に基づいて説明する。図３は、無線タグ３０から発信される部品情報のテーブル構成の一例を示す図である。図３に示すように、部品情報テーブルは、部品番号情報フィールドおよび識別情報フィールドを有する。部品番号情報フィールドには、部品の種類を特定するための部品番号情報が入力される。識別情報フィールドには、個々の部品を特定するための識別情報が入力される。識別情報には、例えば、その部品の製造年月日や製造ロット等に関する情報が含まれていてもよい。なお、本実施形態においては、部品番号情報フィールドに入力される部品番号情報が、本発明に係る「種類情報」に相当し、識別情報フィールドに入力される識別情報が、本発明に係る「識別情報」に相当する。
【００３０】
（管理サーバ）
管理サーバ２０は、通信部２１、制御部２２、および車両部品情報データベース（車両部品情報ＤＢ）２３を有している。制御部２２は、管理サーバ２０を制御するための演算処理を行う機能を有する。制御部２２は、管理サーバ２０のプロセッサによって実現することができる。そして、管理サーバ２０においては、プロセッサが、補助記憶部に記憶されたプログラムを主記憶部にロードして実行することによって、制御部２２による各種の処理を実現することができる。
【００３１】
また、通信部２１は、管理サーバ２０をネットワークＮ１に接続するための通信装置である。通信部２１は、例えばＬＡＮ（Ｌｏｃａｌ  Ａｒｅａ  Ｎｅｔｗｏｒｋ）インターフェースボードや、無線通信のための無線通信回路を含んで構成される。制御部２２は、工場２００内の生産ラインにおいて生産途中の各車両１００に設置された車載装置１０から送信された各部品４０についての部品情報を、通信部２１を介して受信する処理を行う。
【００３２】
また、管理サーバ２０においては、制御部２２が、各車載装置１０から受信した各部品４０についての部品情報を車両部品情報ＤＢ２３に格納する処理を行う。車両部品情報ＤＢ２３は、管理サーバ２０のプロセッサによってデータベース管理システム（Ｄａｔａｂａｓｅ  Ｍａｎａｇｅｍｅｎｔ  Ｓｙｓｔｅｍ）のプログラムが実行されることで、該管理サーバ２０の補助記憶部に構築される。この車両部品情報ＤＢ２３には、各車載装置１０から受信した各部品４０についての部品情報が、その発信元の車載装置１０が設置されている車両１００と紐づけた状態で格納されている。
【００３３】
図４は、車両部品情報ＤＢ２３に格納されている車両部品情報のテーブル構成の一例を示す図である。図４に示すように、車両部品情報テーブルは、車両ＩＤフィールド、および部品情報フィールドを有する。車両ＩＤフィールドには、部品情報の送信元である車載装置１０が設置されている車両１００を特定するための車両ＩＤが入力される。また、部品情報フィールドには、車載装置１０から受信した各部品４０についての部品情報が入力される。つまり、部品情報フィールドには、各部品４０についての部品番号情報および識別情報が入力される。このとき、車両部品情報テーブルにおいては、車両ＩＤと、該車両ＩＤに対応する車両１００に組み付けられた各部品４０についての部品情報と、が紐付けられた状態で格納される。例えば、図４は、車両ＩＤ「Ｖ００１」に対応する車両１００に組み付けられた各部品４０についての部品情報が格納された車両部品情報テーブルを示している。
【００３４】
（システムの動作）
次に、本実施形態に係る部品情報管理システムにおけるデータおよび処理の流れについて図５に基づいて説明する。図５は、部品情報管理システム１におけるデータおよび処理の流れを示すシーケンス図である。なお、図５は、工場２００内の生産ラインにおいて、生産途中の車両１００に対して車載装置１０が設置された後のデータおよび処理の流れを
示している。
【００３５】
部品情報管理システム１においては、工場２００内の生産ラインにおいて車両１００に部品４０が組み付けられると、該部品４０に取り付けられた無線タグ３０から発信される部品情報を、該車両１００に設置された車載装置１０が受信する（Ｓ１０１）。車載装置１０は、無線タグ３０から部品情報を受信すると、該部品情報を、該車載装置１０が設置されている車両１００に対応する車両ＩＤとともに管理サーバ２０に送信する（Ｓ１０２）。なお、車載装置１０は、自身が車両１００に組み付けられた時点で、該車両１００に予め取り付けられた車両用無線タグから発信される車両ＩＤを受信し、該車両ＩＤを記憶してもよい。そして、車載装置１０は、記憶した車両ＩＤを、各部品４０についての部品情報とともに管理サーバ２０に送信してもよい。管理サーバ２０は、車載装置１０から車両ＩＤおよび部品情報を受信すると、該部品情報を該車両ＩＤと紐付けた状態で車両部品情報ＤＢ２３に格納する（Ｓ１０３）。
【００３６】
なお、工場２００内の生産ラインにおいては、車両１００に対して複数種類の部品４０が順次組み付けられる。そのため、車載装置１０は、車両１００に対して部品４０が組み付けられる毎に、無線タグ３０から部品情報を受信する。このとき、車載装置１０は、無線タグ３０から部品情報を受信する毎に、受信した部品情報を車両ＩＤとともに管理サーバ２０に送信してもよい。また、車載装置１０は、いくつかの種類の部品４０についての部品情報を一括して車両ＩＤとともに管理サーバ２０に送信してもよい。
【００３７】
本実施形態に係る部品情報管理システム１では、車両１００の生産ラインにおいて各車両１００に設置される車載装置１０に、各車両１００に組み付けられた各部品４０の無線タグ３０から発信される部品情報を受信する受信部１３が設けられている。そのため、各車両１００に組み付けられた各部品４０の無線タグ３０から発信される部品情報を受信するための受信装置を工場２００内に別途設けることが不要となる。
【００３８】
また、工場２００内における所定の位置（例えば生産ラインにおいて生産途中の各車両１００が通過するゲート等）に受信装置を設けた場合、各車両１００に組み付けられた各部品４０の無線タグ３０と受信装置との間の電波の受信環境が変化することに起因して、無線タグ３０から発信された部品情報を受信装置が安定的に受信することが困難となる可能性がある。つまり、ある車両１００に組み付けられた部品４０と受信装置との間の距離が所定の距離よりも離れてしまったり、これらの間に電波を遮蔽する何らかの物体が入り込んでしまったりした場合、無線タグ３０から発信された部品情報を受信装置が受信することが困難となる。これに対し、本実施形態に係る部品情報管理システム１では、車両１００に設置された車載装置１０に受信部１３が設けられている。そして、車両１００においては、車載装置１０と各部品４０との距離が一定の範囲内に維持される。また、車両１００においては、車載装置１０と各部品４０との間の電波の受信環境が変化し難い。したがって、各部品４０の無線タグ３０から発信される部品情報を車外に設けられた受信装置によって受信する場合に比べて、該部品情報を車載装置１０によって安定的に受信することができる。
【００３９】
また、工場２００内における所定の位置に設けられた受信装置によって、各車両１００に組み付けられた各部品４０の無線タグ３０から発信される部品情報を受信する場合、該受信装置から所定の範囲内に車両１００を留めておく必要がある。これは多数の部品４０それぞれの無線タグ３０から部品情報を受信装置によって受信するためにはある程度の時間が必要となるためである。これに対し、本実施形態に係る部品情報管理システム１では、生産ラインにおいて生産途中の車両１００が移動すると、当然のことながら、該車両１００に設置された車載装置１０もそれに伴って移動する。したがって、生産ラインにおける車両１００に対する部品の組み付け作業等を進行させながら、車載装置１０の受信部１
３によって各部品４０の部品情報を受信することが可能となる。そのため、生産途中において、各車両１００に組み付けられた各部品４０の無線タグ３０から発信される部品情報を取得する場合でも、その生産効率の低下を招き難くなる。
【００４０】
このように、本実施形態に係る部品情報管理システム１によれば、車両１００に取り付けられた各部品４０の部品情報をより好適に取得し管理することができる。
【００４１】
（変形例）
上記実施形態では、工場２００内の生産ラインにおいて、生産途中の車両１００に対して組み付けられた各部品４０についての部品情報を車載装置１０を用いて取得し、取得した部品情報を管理サーバ２０に記憶して管理した。ただし、車載装置１０は、車両の完成後においても該車両に設置されている。したがって、生産ラインにおける生産途中の段階のみならず、完成後の車両においても、該車両に設置された車載装置を用いて、該車両に組み付けられた部品についての部品情報を取得することができる。
【００４２】
車両の完成後においても、補修等を目的として部品の交換または部品の追加が行われる場合がある。この場合、交換または追加された部品に取り付けられた無線タグから発信される部品情報を、車載装置の受信部によって受信する。そして、受信した部品情報を車載装置から管理サーバに送信する。これにより、車両の完成後においても、該車両に組み付けられた部品についての部品情報を管理サーバにおいて管理することが可能となる。
【００４３】
＜第２実施形態＞
本実施形態では、部品情報管理システム１の管理サーバ２０において、車両１００に対する部品の誤組み付けが発生した場合にその旨を警告するための誤組み付け警告処理が行われる。以下、本実施形態に係る誤組み付け警告処理のフローについて、図６に示すフローチャートに基づいて説明する。なお、この誤組み付け警告処理は、管理サーバ２０の制御部２２によって実行される。
【００４４】
本フローでは、先ず、Ｓ２０１において、車載装置１０から受信した部品情報が読み込まれる。ここで、管理サーバ２０においては、工場２００内の生産ラインにおいて車両１００に組み付けるべき部品４０それぞれについての部品番号情報のリストである部品番号リストが予め記憶されている。そこで、Ｓ２０２においては、Ｓ１０１で読み込んだ部品情報に含まれる部品番号情報が、管理サーバ２０に予め記憶されている部品番号リストに存在しているか否かが判別される。
【００４５】
そして、Ｓ２０２において肯定判定された場合、Ｓ２０３において、車載装置１０から受信した部品情報が車両部品情報ＤＢ２３に格納される（つまり、図５におけるＳ１０３と同様の処理が行わる。）。一方で、Ｓ２０２において否定判定された場合、すなわち、車載装置１０から受信した部品情報に含まれる部品番号情報が部品番号リストに存在していない場合、車両１００に対して本来組み付けるべき部品とは異なる部品が該車両１００に組み付けられたと判断できる。そこで、この場合は、Ｓ２０４において、部品情報の送信元の車載装置１０に対して、部品の誤組み付け発生を警告するための警告情報が送信される。なお、Ｓ２０２において否定判定された場合は、車載装置１０から受信した部品情報は車両部品情報ＤＢ２３に格納されない。
【００４６】
車載装置１０では、管理サーバ２０から送信された警告情報を受信すると、部品の誤組み付け発生を報知するための報知処理が行われる。なお、Ｓ２０４における管理サーバ２０からの警告情報の送信先は、必ずしも車載装置１０である必要はない。例えば、工場２００内に設置された、車両１００に対する部品の誤組み付け発生を報知するための装置に、管理サーバ２０から警告情報を送信してもよい。
【００４７】
上記のような誤組み付け警告処理が行われることで、車両１００に対する部品の誤組み付けが発生した場合は、その旨を警告することができる。なお、上記の第１実施形態の変形例において説明したような、車両の完成後における該車両に対する部品の交換または追加に際しても、本実施形態に係る誤組み付け警告処理を適用することができる。
【符号の説明】
【００４８】
１・・・部品情報管理システム
１０・・車載装置
１１、２１・・通信部
１２、２２・・制御部
１３・・受信部
２０・・管理サーバ
２３・・車両部品情報データベース
３０・・無線タグ
４０・・部品
【図１】
2020101855.tif 000003
【図２】
2020101855.tif 000004
【図３】
2020101855.tif 000005
【図４】
2020101855.tif 000006
【図５】
2020101855.tif 000007
【図６】
2020101855.tif 000008